(57)【要約】【課題】  計数信号に関して発生する不正行為を確実に検出するとともに、景品引換券発行装置の汎用性を高める。【解決手段】  景品引換券発行装置１０の正負論理切替手段１４で計数信号の正負論理の切り替えが行われる。設定モードにおいて、遊技媒体計数機３０からの計数信号に現われる計数パルスのＯＮ時間，ＯＦＦ時間が計測手段１５で計測され、この平均値が算出されて演算記憶手段１６で記憶される。運転モードにおいて、外部からの計数信号に現われるパルスのＯＮ時間，ＯＦＦ時間が計測手段１５で計測され、比較判定手段１７で、その計測されたＯＮ時間，ＯＦＦ時間と演算記憶手段１６から取り出したＯＮ時間，ＯＦＦ時間とが比較される。そして、それらの差異が閾値を超えているときは不正行為が行われたものと判断される。【選択図】    図２
2006102067.tif 000002
【特許請求の範囲】
【請求項１】
遊技媒体計数機から、計数した遊技媒体数をパルス数信号で受信し、受信したパルス数の計数値に関するデータを景品引換券に記録して発行する景品引換券発行装置であって、
この景品引換券発行装置は、設定モードと運転モードの切換手段を有し、
設定モードに切換られた場合に、受信した所定回数の前記パルス数信号について、ＯＮ時間及び／又はＯＦＦ時間を計測する計測手段と、複数の計測結果を記憶し、記憶した計測値から平均値を演算して、演算結果の平均値を記憶する演算記憶手段を有し、
運転モードに切換られた場合に、受信した前記パルス数信号の各々について、ＯＮ時間及び／又はＯＦＦ時間を計測する前記計測手段と、計測結果の数値と、前記演算記憶手段に記憶された平均値と比較し、設定された所定の範囲内にあるか否かを判定する比較判定手段と、所定の範囲外と判定された場合は、異常信号を発生して異常処理を行う異常処理手段を備えることを特徴とする、景品引換券発行装置。
【請求項２】
前記所定の範囲は、前記パルス数信号のＯＮ時間及び／又はＯＦＦ時間の計測値が、前記平均値に対して設定した範囲であることを特徴とする、請求項１記載の景品引換券発行装置。
【請求項３】
前記所定の範囲は、前記パルス数信号のＯＮ時間の計測値とＯＦＦ時間の計測値の比が、前記平均値のＯＮ時間とＯＦＦ時間の比に対して、設定した範囲であることを特徴とする、請求項１記載の景品引換券発行装置。
【請求項４】
前記所定の範囲は、前記パルス数信号のＯＮ時間の計測値とＯＦＦ時間の計測値の比が、設定した範囲であることを特徴とする、請求項１記載の景品引換券発行装置。
【発明の詳細な説明】
【技術分野】
【０００１】
本発明は、遊技媒体計数機から景品引換券発行装置へ送られる計数信号に関係した不正を検出する景品引換券発行装置に関し、特に、遊技媒体計数機の仕様がメーカによりそれぞれ異なる場合において、いずれの遊技媒体計数機に接続しても不正検出を可能とする景品引換券発行装置に関する。
【背景技術】
【０００２】
パチンコ機やスロットマシンなどに代表される遊技機が複数設置された遊技ホールにおいては、遊技者が獲得した遊技媒体を景品に交換するための景品交換システムが設置されている。
景品交換システムは、図６に示すように、例えば、パチンコ玉やメダルなどの遊技媒体の数量を計数するための遊技媒体計数機３０、この遊技媒体計数機３０での計数結果を景品引換券に記録して発券する景品引換券発行装置１０、景品引換券により景品交換処理を行うＰＯＳ端末装置４０、景品引換券に記録されたバーコードデータの照合等を行う管理装置５０などが備えられている。
【０００３】
この景品交換システムにおいては、遊技媒体計数機３０で計数された遊技媒体数が、通信線を通じて景品引換券発行装置１０へ送信されるが、その遊技媒体数は、通常、パルス数列にして送信される。
ところが、遊技ホールにおいては、その通信線（計数信号線）に細工を施し、パルス発生器などを接続して景品引換券発行装置１０に入力させ、不正に景品を得る行為が行われている。
【０００４】
このような不正行為を検出する技術が従来から提案されている。
例えば、実施例としてパルス数列の周期やパルス幅変化を検出し、所定量以上の変化を検出したときに不正と判定する方法がある。
また、他の方法としては、例えば、送信する所定のパルス数に対して一個のパルス（対率パルス）を別の通信線で送信し、それら二つのパルス数が所定の関係を逸脱したときに不正とみなす方法が提案されている。
【特許文献１】特開平２００１−０４６７２６号公報
【発明の開示】
【発明が解決しようとする課題】
【０００５】
しかしながら、上述の不正検出方法を採用すると、景品引換券発行装置の汎用性が乏しくなるという問題があった。
景品引換券発行装置に接続される遊技媒体計数機は、通常、メーカによって仕様が異なっている。例えば、パルス信号について言えば、正論理（０Ｖが「０」）の仕様と負論理（０Ｖが「１」）の仕様がある。また、パルス列の周期やパルス幅についても、その仕様は様々である。
これら異なる仕様のすべてに対応するために、それら仕様のそれぞれに応じた不正検出回路（例えば、正論理用、負論理用、周期ａ１用、周期ａ２用・・・、パルス幅ｂ１用、パルス幅ｂ２用・・・の各不正検出回路）をすべて備えることは、現実的に不可能なことである。
【０００６】
このような状況下、景品引換券発行装置のメーカにおいては、その都度仕様に併せて不正検出回路を設定していた。しかし、これは景品引換券発行装置がコスト高となる要因となっていた。
【０００７】
本発明は、上記の事情にかんがみなされたものであり、仕様の異なる遊技媒体計数機のいずれを接続しても計数信号に関係した不正の検出を可能にして景品引換券発行装置の汎用性を飛躍的に高めるとともに、その不正検出をさらに確実なものとする景品引換券発行装置の提供を目的とする。
【課題を解決するための手段】
【０００８】
この目的を達成するため、本発明の景品引換券発行装置は、遊技媒体計数機から、計数した遊技媒体数をパルス数信号で受信し、受信したパルス数の計数値に関するデータを景品引換券に記録して発行する景品引換券発行装置であって、この景品引換券発行装置は、設定モードと運転モードの切換手段を有し、設定モードに切換られた場合に、受信した所定回数の前記パルス数信号について、ＯＮ時間及び／又はＯＦＦ時間を計測する計測手段と、複数の計測結果を記憶し、記憶した計測値から平均値を演算して、演算結果の平均値を記憶する演算記憶手段を有し、運転モードに切換られた場合に、受信した前記パルス数信号の各々について、ＯＮ時間及び／又はＯＦＦ時間を計測する前記計測手段と、計測結果の数値と、前記演算記憶手段に記憶された平均値と比較し、設定された所定の範囲内にあるか否かを判定する比較判定手段と、所定の範囲外と判定された場合は、異常信号を発生して異常処理を行う異常処理手段を備える構成とする。
【０００９】
景品引換券発行装置をこのような構成とすると、設定モードで計測したＯＮ時間あるいはＯＦＦ時間を、その遊技媒体計数機が送出する正規の計数信号のＯＮ時間あるいはＯＦＦ時間として記憶しておくことができる。すなわち、本発明の景品引換券発行装置は、接続された遊技媒体計数機の計数信号に関する仕様を自ら計測・知得して記憶し不正検出に利用するという機能を有している。
このことから、本発明の景品引換券発行装置は、仕様の異なる遊技媒体計数機のいずれにも対応可能となり、したがって、景品引換券発行装置の汎用性を高めることができる。
【００１０】
また、本発明の景品引換券発行装置は、前記所定の範囲を、前記パルス数信号のＯＮ時間及び／又はＯＦＦ時間の計測値が、前記平均値に対して設定した範囲としてあることを特徴とする。
【００１１】
このような範囲を設定しておくことで、異常の発生を正確かつ確実に検出できる。例えば、その差異が僅差の場合は、器械的誤差や物理的誤差などが原因であって不正行為によるものではないと判断し、一方、差異が大きい場合は、不正行為によるものと判断することができる。
なお、所定の範囲の具体例としては、例えば、設定モードで計測された複数のＯＮ時間あるいはＯＦＦ時間の平均値の±２０％などとすることができる。この場合、運転モードで計測されたＯＮ時間あるいはＯＦＦ時間がその所定の範囲を逸脱していると異常発生と判断される。
【００１２】
また、本発明の景品引換券発行装置は、前記所定の範囲を、前記パルス数信号のＯＮ時間の計測値とＯＦＦ時間の計測値の比が、前記平均値のＯＮ時間とＯＦＦ時間の比に対して、設定した範囲であることを特徴とする。
また、本発明の景品引換券発行装置は、前記所定の範囲を、前記パルス数信号のＯＮ時間の計測値とＯＦＦ時間の計測値の比が、設定した範囲であることを特徴とする。
このような範囲を設定しておくことで、運転モードで計測手段により計測されたＯＮ時間とＯＦＦ時間との相関と、運転モードで計測手段により計測されたＯＮ時間とＯＦＦ時間との相関との差異が、閾値を超えているときに、異常が発生したものと判断する構成としてある。
なお、比には、ＯＮ時間／ＯＦＦ時間、ＯＮ時間：ＯＦＦ時間、ＯＮ時間＞（又は＜）ＯＦＦ時間などが含まれる。
【発明の効果】
【００１３】
以上のように、本発明によれば、設定モードにおいては、遊技媒体計数機から出力される正規の計数信号のＯＮ時間あるいはＯＦＦ時間を計測・記憶することができ、運転モードにおいては、受信した計数信号のＯＮ時間あるいはＯＦＦ時間と、記憶しておいた正規の計数信号のＯＮ時間あるいはＯＦＦ時間とを比較して、異常の発生を検出することができる。
このように、遊技媒体計数機から送られてきた正規の計数信号に関する仕様を景品引換券発行装置自らが計測・知得できるため、仕様の異なる遊技媒体計数機のいずれが接続されても、計数信号に関する不正を検出できる。したがって、景品引換券発行装置の汎用性を飛躍的に高めることができる。
【発明を実施するための最良の形態】
【００１４】
以下、本発明に係る景品引換券発行装置の好ましい実施形態について、図面を参照して説明する。
【００１５】
まず、本発明の景品引換券発行装置の実施形態について、図１、図２を参照して説明する。
図１は、本実施形態の景品引換券発行装置と遊技媒体計数機の外観構成を示す外観斜視図、図２は、景品引換券発行装置の機能構成を示すブロック図である。
図１、図２に示すように、本実施形態の景品引換券発行装置１０は、モード設定手段１１と、受信手段１２と、計数手段１３と、正負論理切替手段１４と、計測手段１５と、演算記憶手段１６と、比較判定手段１７と、異常処理手段１８と、表示手段１９と、報知手段２０と、送信手段２１と、カードリーダ２２と、発券ユニット２３と、操作手段２４と、制御手段２５とを備えている。
【００１６】
モード設定手段１１は、設定モードと運転モードとの切り換えを行う手段である。
本実施形態において、「運転モード」とは、例えば、遊技ホールの営業時間中に、遊技者に対して景品引換券を発行することを目的として、景品引換券発行装置１０を動作・運転させるモードをいう。
一方、「設定モード」とは、当該景品引換券発行装置１０に遊技媒体計数機３０を接続し、この遊技媒体計数機３０から送られてきた計数信号に現われる計数パルスのＯＮ時間あるいはＯＦＦ時間を計測し記憶するモード（特に、それらＯＮ時間あるいはＯＦＦ時間を複数計測し、それらの平均をとって記憶するモードを含む）をいう。この設定モードへの切り換えが行われる場合としては、例えば、当該景品引換券発行装置１０を遊技ホールに新規に備え付け、遊技媒体計数機３０や管理装置５０に接続して、試運転を行う場合などがある。
【００１７】
受信手段１２は、遊技媒体計数機３０から送られてきた計数信号を受信する。この受信された計数信号は、計数手段１３又は計測手段１５へ送られる。
計数手段１３は、計数信号の計数パルス数をカウントする。このカウント値は、遊技媒体計数機３０での計数結果（計数値）を示している。そして、カウント値は、景品引換券発行処理のデータとなる。
【００１８】
正負論理切替手段１４は、遊技媒体計数機３０から送られてくる計数信号が正論理か負論理かにより、切り替えが行われる手段である。具体的構成としては、例えば、受信手段１２の回路でスイッチの切り替えを行うものや、ソフトウエアで切り替えを行うものなどがある。
計数信号が正論理か負論理かは遊技媒体計数機３０の仕様による。このため、正負論理切替手段１４においては、その遊技媒体計数機３０の仕様に応じて手動又は自動的に切り替えが行われる。
【００１９】
ここで、計数信号の正論理と負論理について説明する。
計数信号は、図３に示すように、信号レベルを電圧で示すと、信号がない状態が０Ｖ（“０”）、信号がある状態が５Ｖ（“１”）を示すものを正論理で表され（同図（ａ））、その逆が負論理で表される（同図（ｂ））。従って、信号のＯＮパルスと、ＯＦＦパルスは図のようになり、ＯＮパルスのパルス幅がＯＮ時間、ＯＦＦパルスのパルス幅がＯＦＦ時間となる。なお、ＯＮパルス及びＯＦＦパルスのパルス幅は、通常、遊技媒体計数機３０の機種毎あるいはメーカ毎に異なっている。
【００２０】
計測手段１５は、計数信号に現われた計数パルスのＯＮ時間あるいはＯＦＦ時間を計測する。この計測は、正負論理切替手段１４での設定内容（正論理か負論理か）にもとづいて行われる。
計測手段１５は、図３（ｃ）に示すように、計数パルスの状態を判定するために、計数パルス幅を所定の数で分割できる周期でサンプリングする。これは、計数パルスがチャタリングを含むものである場合に、正確にパルス数を確定するために行われる。サンプリングした状態が、連続して“０”がサンプリングされている間を“０”と判定して、連続して“１”がサンプリングされている間を“１”と判定する。その間のサンプリング回数をＯＮ時間あるいはＯＦＦ時間に置換える。すなわち例えばサンプリング周期が３００μｓの場合、サンプリング回数が５回であれば１．２ｍｓのパルス幅となる。パルス幅を計測する方法はデジタル的に計測する方法であればその他の方法でもよい。
【００２１】
ここで、設定モードの場合、計測手段１５は、遊技媒体計数機３０から入力される所定数の計数パルスのＯＮ時間とＯＦＦ時間をサンプリング回数で計測し、所定数分記憶する。演算記憶装置１６は、記憶されたＯＮ時間及びＯＦＦ時間の計測値を所定回数で除すことでＯＮ時間及びＯＦＦ時間の平均値が算出できる。この平均値を演算記憶手段１６に平均値として記憶する。
【００２２】
一方、運転モードの場合、計測手段１５は、遊技媒体計数機３０から入力される全ての計数パルスのＯＮ時間とＯＦＦ時間をサンプリング回数で計測し、比較判定手段１７は、その都度、計測したサンプリング回数と演算記憶手段１６に記憶されている平均値と、比較判定手段１７で比較判定する。
【００２３】
演算記憶手段１６は、記憶部と演算部とを有する。記憶部は、例えば、ＲＯＭ（Ｒｅａｄ  Ｏｎｌｙ  Ｍｅｍｏｒｙ）やＲＡＭ（Ｒａｎｄｕｍ  Ａｃｃｅｓｓ  Ｍｅｍｏｒｙ）などで構成することができ、所定のデータや、景品引換券発行装置１０の有する各種機能を実行するためのプログラム（異常発生検出プログラムを含む）を記憶する。
また、記憶部は、計数手段１３でカウントされた計数値（遊技媒体計数機３０での計数値）、計測手段１３で計測された計数信号の計数パルスのＯＮ時間又はＯＦＦ時間、これらＯＮ時間とＯＦＦ時間の平均値、それらＯＮ時間とＯＦＦ時間との相関を示す数値（相関値）などを記憶する。さらに、演算記憶手段１６は、比較判定手段１７での比較処理で用いられる閾値を記憶する。
演算記憶手段１６のうち演算部は、記憶された複数のＯＮ時間及びＯＦＦ時間の計測値の合計を所定回数で除算することでＯＮ時間及びＯＦＦ時間の平均値を算出する。この平均値は平均値として演算記憶手段１６の記憶部に記憶される。
【００２４】
比較判定手段１７は、計測値のサンプリング回数が平均値に対して、設定された回数以上逸脱しているか否かによる方法や、計測したＯＮ時間とＯＦＦ時間との比が平均値に対して、設定された数値以上逸脱しているか否かによる方法や、また、ＯＮ時間とＯＦＦ時間の比が、設定された数値以上逸脱しているか否かによる方法がある。
【００２５】
また、比較判定手段１７は、運転モードで、いずれかの方法により比較判定した結果、設定された所定の範囲内にある場合は正常であるもの（不正行為が行われていないもの）と判断する。一方、所定の範囲内を逸脱している場合は、異常が発生したもの（不正行為が行われたもの）と判断する。これら判断結果は、制御手段２５へ送られる。
【００２６】
異常処理手段１８は、比較判断手段１７の異常信号を受けて、表示手段１９、報知手段２０及び送信手段２に信号を送り、発券処理を停止する。
具体的には、異常処理手段１８（あるいは制御手段２５）は、不正行為が行われたもの（異常が発生したもの）と比較判定手段１７で判断されたときは、（１）報知手段２０に対する報知動作指示、（２）送信手段２１を介して管理装置５０への異常発生通知の送信、（３）表示手段１９に対する異常発生表示指示、（４）計数手段１３に対するカウント停止指示、（５）発券ユニット２３に対する発券停止指示、（６）操作手段２４に対する受付拒否指示などを行うことができる。
【００２７】
表示手段１９は、７セグ表示器などで構成することができ、例えば、日付（年、月、日）や計数値などを表示する。また、表示手段１９は、異常が発生したときに「ｅｒｒｏｒ」や「―――――」等の文字や絵柄などを表示したり、表示文字等を点滅させたりすることもできる。
報知手段２０は、不正行為が行われたことを外部に知らせる手段である。報知の具体例としては、例えば、ＬＥＤによる発光や、スピーカによる報知音の出力などがある。
また、報知手段２０には、表示手段１９を含めることができる。この場合、表示手段１９は、不正行為が行われたことを知らせるために、「ｉｌｌｅｇａｌ」等の文字や絵柄などを表示することができる。
【００２８】
送信手段２１は、所定のデータを管理装置４０へ送信する。
特に、送信手段２１は、制御手段２５からの異常発生信号を管理装置４０へ送信する。この場合、管理装置４０では、異常の発生に関する画面表示や音声報知などを行うことができる。
カードリーダ２２は、挿入された会員カードから所定のデータを読み取る手段である。
【００２９】
発券ユニット２３は、景品引換券（レシート、チケット）に計数値を記録して発行する手段である。
操作手段２４は、遊技者又はホール従業員により操作されるボタン等である。この操作手段２４には、例えば、景品引換券を発券するための発券ボタンなどが含まれる。
【００３０】
制御手段２５は、例えば、ＣＰＵ（Ｃｅｎｔｒａｌ  Ｐｒｏｃｅｓｓｉｎｇ  Ｕｎｉｔ）により構成することができ、演算記憶手段１６に記憶されているプログラムを読み込んで実行することにより、景品引換券発行装置１０の構成各部に指令を送り、又は自ら動作して、景品引換券発行装置１０の有する各種機能を実行・制御する。
さらに、制御手段２５は、正負論理切替手段１４で設定された正論理又は負論理を計測手段１５へ伝える。
【００３１】
次に、本実施形態の景品引換券発行装置の動作（不正検出方法）について、図４、図５を参照して説明する。
図４は、設定モードにおける、本実施形態の景品引換券発行装置の動作手順を示すフローチャート、図５は、運転モードにおける、本実施形態の景品引換券発行装置の動作手順を示すフローチャートである。
【００３２】
まず、設定モードでの動作手順について、図４を参照して説明する。
景品引換券発行装置１０と遊技媒体計数機３０とが通信線により接続される。その通信線を介して遊技媒体計数機３０から送信されてくる計数信号の正論理・負論理に対応するため、景品引換券発行装置１０の正負論理切替手段１４により正論理又は負論理の切り替えが行われる（正負論理切替処理、ステップ１０）。なお、景品引換券発行装置１０には、予め設定モード（試運転）を実行するための設定動作プログラムが用意（インストール）されている。
【００３３】
次いで、景品引換券発行装置１０の電源が投入（ＯＮ）され（ステップ１１）、モード設定手段１１により「設定モード」にセットされると（ステップ１２）、設定動作プログラムの実行が開始される（ステップ１３）。ここで、景品引換券発行装置１０は、遊技媒体計数機３０からの計数信号の入力待ち状態となる（ステップ１４）。この計数信号の入力待ち状態においては、一定間隔で計数信号が読み続けられる（計数信号のサンプリングが一定間隔で行われる）。
【００３４】
計数信号が受信手段１２で受信（入力）されたものと判断されると（ステップ１５）、その計数信号の計数パルスのＯＮ時間又はＯＦＦ時間が計測手段１５で計測される（計数信号計測処理、ステップ１６）。このＯＮ時間又はＯＦＦ時間の計測は、サンプリング回数で行われる。所定の計数パルス数だけ（例えば、２０〜５０パルス）だけ計測され記憶される。
【００３５】
所定数のパルスに対する計数信号計測処理の実行が終了すると（ステップ１７）、計数信号計測処理（ステップ１６）で記憶されたサンプリング回数の平均回数が算出される（平均値算出処理、ステップ１８）。平均回数は平均時間として、演算記憶手段１６へ送られて記憶される（データ記憶処理、ステップ１９）。そして、設定動作プログラムの実行が終了される（ステップ２０）。
【００３６】
次に、運転モードでの動作について、図５を参照して説明する。
設定動作（ステップ１０〜ステップ２０）が終了すると、続いて、景品引換券発行装置１０のモード設定手段１１により運転モードに設定される（ステップ３０）。これにより、景品引換券発行装置１０は、遊技ホールの営業時間中に実際に景品引換券の発行処理などを行う。
また、運転モードにおいて、景品引換券発行装置１０では、不正検出プログラムの実行が開始され（ステップ３１）、遊技媒体計数機３０からの計数信号の入力待ち状態となる（ステップ３２）。この計数信号の入力待ち状態においては、一定間隔で計数信号が読み続けられる（計数信号のサンプリングが一定間隔で行われる）。
【００３７】
計数信号が受信手段１２で受信（入力）されたものと判断されると（ステップ３３）、その計数パルスのＯＮ時間又はＯＦＦ時間が計測手段１５で計測される（ステップ３４）。この計測されたパルスのＯＮ時間又はＯＦＦ時間が、比較判定手段１７へ送られる。
比較判定手段１７において、演算記憶手段１６から記憶された平均値が取り出される。そして、この演算記憶手段１６から取り出された平均値と、計測手段１５で計測されたＯＮ時間又はＯＦＦ時間とが比較される（ステップ３５）。
【００３８】
比較の結果、それらＯＮ時間又はＯＦＦ時間が所定の範囲内である場合は、不正行為が行われていないもの（正常状態）と判断される（ステップ３６）。
一方、それらＯＮ時間又はＯＦＦ時間が所定の範囲を逸脱している場合は、不正行為が行われたもの（異常状態）と判断される（ステップ３６）。この場合、報知手段２０が動作され、不正行為が行われたことが報知される（ステップ３７）。
【００３９】
以上、本発明の景品引換券発行装置の好ましい実施形態について説明したが、本発明に係る景品引換券発行装置は、上述した実施形態にのみ限定されるものではなく、本発明の範囲で種々の変更実施が可能であることは言うまでもない。
例えば、上述した実施形態では、計数信号のパルス幅を計測対象としたが、計測対象はパルス幅に限るものではなく、例えば、計数信号の振幅などでもよい。
また、不正検出時の報知方法としては、ＬＥＤの発光やスピーカからの音声出力の他、管理装置での画面表示、インカムへの通報などを含むこともできる。
【産業上の利用可能性】
【００４０】
本発明は、遊技媒体計数機から景品引換券発行装置へ送られる計数信号を偽造して不正に景品を取得する行為を検出するための発明であるため、遊技媒体計数機や景品引換券発行装置が備えられた景品交換システムで利用可能である。
【図面の簡単な説明】
【００４１】
【図１】本発明の景品引換券発行装置の外部構成を示す外観斜視図である。
【図２】本発明の景品引換券発行装置の機能構成を示すブロック図である。
【図３】計数信号の形状を示す図である。
【図４】本発明の景品引換券発行装置の設定モードにおける動作を示すフローチャートである。
【図５】本発明の景品引換券発行装置の運転モードにおける動作を示すフローチャートである。
【図６】景品交換システムの構成を示すブロック図である。
【符号の説明】
【００４２】
１  景品交換システム
１０  景品引換券発行装置
１１  モード設定手段
１２  受信手段
１３  計数手段
１４  正負論理切替手段
１５  計測手段
１６  演算記憶手段
１７  比較判定手段
１８  異常処理手段
１９  表示手段
２０  報知手段
２１  送信手段
２５  制御手段
３０  遊技媒体計数機
４０  ＰＯＳ端末装置
５０  管理装置
【図１】
2006102067.tif 000003
【図２】
2006102067.tif 000004
【図３】
2006102067.tif 000005
【図４】
2006102067.tif 000006
【図５】
2006102067.tif 000007
【図６】
2006102067.tif 000008